(57)【要約】【課題】撮像に必要な十分な光量を確保することができるうえ、細径化を図ること。【解決手段】観察対象内に少なくとも一部が導入され、内部の被写体の撮像を行うものであって、導入方向（Ｘ方向）に対して直交する方向に法線Ｍが向くように配置され、前方側を照明する照明デバイス４と、該照明デバイスに対して平行に配置され、前方側を撮像する撮像ユニット５と、を備え、照明デバイスが、２つの電極間に挟まれた有機発光層と、該有機発光層から発生された光のうち法線方向に進む第１の光を遮光する遮光部１１と、有機発光層の先端部側に設けられ、発生された光のうち有機発光層の面内方向に進む第Ｌ２の光を先端部から取り出して前方側に出射させる光取出し部１２と、を備えている内視鏡１を提供する。【選択図】図１
2010051461.tif 000002
【特許請求の範囲】
【請求項１】
観察対象内に少なくとも一部が導入され、内部の被写体の撮像を行う内視鏡であって、
導入方向に対して直交する方向に法線が向くように配置され、前方側を照明する照明デバイスと、
該照明デバイスに対して平行に配置され、前方側を撮像する撮像ユニットと、を備え、
前記照明デバイスは、２つの電極間に挟まれた有機発光層と、該有機発光層から発生された光のうち前記法線方向に進む第１の光を遮光する遮光部と、有機発光層の先端部側に設けられ、発生された光のうち有機発光層の面内方向に進む第２の光を先端部から取り出して前方側に出射させる光取出し部と、を備えていることを特徴とする内視鏡。
【請求項２】
請求項１に記載の内視鏡において、
前記撮像ユニットは、前記光取出し部よりも前記照明デバイスの前方側に突出した状態で配置されていることを特徴とする内視鏡。
【請求項３】
請求項１に記載の内視鏡において、
前記撮像ユニットは、前記光取出し部よりも前記照明デバイスの後方側に入り込んだ状態で配置されていることを特徴とする内視鏡。
【請求項４】
請求項１から３のいずれか１項に記載の内視鏡において、
前記照明デバイスは、前記第１の光を取出して側方に出射させる側方光取出し部を備えていることを特徴とする内視鏡。
【請求項５】
請求項４に記載の内視鏡において、
前記第１の光により照明された領域を撮像する側方撮像ユニットを備えていることを特徴とする内視鏡。
【請求項６】
請求項１に記載の内視鏡において、
前記有機発光層は、前記撮像ユニットの周囲を囲むように円筒状に形成されていることを特徴とする内視鏡。
【請求項７】
請求項６に記載の内視鏡において、
前記有機発光層の両端には、有機発光層の内部を密閉する透明カバーが設けられ、全体形状がカプセル状に形成されていることを特徴とする内視鏡。
【請求項８】
請求項７に記載の内視鏡において、
前記光取出し部は、前記有機発光層の基端部側にも設けられ、前記第２の光を基端部から取り出して後方側に出射させ、
前記有機発光層の内部には、後方側に照明された領域を撮像する後方撮像ユニットが設けられていることを特徴とする内視鏡。
【発明の詳細な説明】
【技術分野】
【０００１】
本発明は、観察対象内に導入して、内部の撮像を行う内視鏡に関するものである。
【背景技術】
【０００２】
この種の内視鏡は、撮像を明瞭に行うために被写体を明るく照明することが重要とされている。内視鏡の１つとして体腔内の撮像を行う医療用の内視鏡が知られているが、この内視鏡は、体腔外に配置した光源装置から光ケーブル等を利用して体腔内へ光を導入することで、体腔内の被写体を明るく照明している。このような構成は、一般的に良く知られている。
【０００３】
近年では、飲み込み可能なカプセル型の内視鏡（カプセル内視鏡）が開発されている。このカプセル内視鏡は、被験者への負担を極力軽減した状態で体腔内の撮像を行うことが可能であるので、注目を浴びている内視鏡の１つである。ところで、カプセル内視鏡の場合には、カプセル状の筐体の内部に設けられた照明デバイスによって被写体の照明を行っている。
この照明デバイスとしては、撮像ユニットの近傍に配置されたＬＥＤで行っているのが一般的である。また、ＬＥＤではなく、有機化合物で面状の発光層を構成した有機発光ダイオード（ＯＬＥＤ）である有機ＥＬ素子を、照明デバイスとして利用したカプセル内視鏡も知られている（例えば、特許文献１参照）。このカプセル内視鏡では、撮像ユニットの近傍に有機ＥＬ素子を配置し、面発光により撮像ユニットの視野方向を照明するように構成されている。
【０００４】
特に、有機ＥＬ素子は、透明基板上に、陽極として機能する透明電極と、有機発光層と、陰極として機能する金属薄膜とが、順に積層されたものであり、非常に厚みが薄い薄膜デバイスである。よって、有機ＥＬ素子を照明デバイスとして利用することで、ＬＥＤよりもカプセル内視鏡の小型化に貢献することができるので、好適に用いられている。
【０００５】
ところで、有機ＥＬ素子を照明デバイスとして利用する以上、被写体をできるだけ明るく照らす必要がある。特に、カプセル内視鏡の場合には、カメラのような外光による照明を得ることができないので、筐体内に設けられた照明デバイスが発する光が唯一の照明光となる。従って、可能な限り明るく照明することが有機ＥＬ素子には求められる。
【０００６】
この点、特許文献１に記載されている有機ＥＬ素子は、面発光した光を照明光として利用するために、カプセル内視鏡の中心軸に直交し、且つ、径方向に広がった状態で形成されている。そして、表面の法線方向（積層方向）に光を発して、撮像ユニットの視野方向を照明している。
特に、有機ＥＬ素子が法線方向に出射する光は、有機発光層で発生される光の略３割程度の光でしかない。なお、残りの７割程度の光は、面内方向に伝播され、法線方向に出射されることはない、
よって、有機ＥＬ素子は、発光面積をできるだけ確保するため極力径方向に広がるように形成されている。これにより、被写体を十分に照明して、撮像に必要な光量を確保している。
【特許文献１】特開２００６−２５５２４７号公報
【発明の開示】
【発明が解決しようとする課題】
【０００７】
しかしながら、医療用の内視鏡は、被験者の体腔内に導入されるものであるので、被験者への負担や術者の操作負担を考慮すると、外径をできるだけ細く設計することが好ましい。この点は、医療用の内視鏡に限られず、操作負担の観点から工業用の内視鏡に関しても同様である。
ところが、有機ＥＬ素子を照明デバイスとして利用した従来の内視鏡では、撮像に必要な十分な光量を確保するため発光面積を大きく確保せざるを得ず、どうしても外径が太くなってしまう。そのため、細径化を図ることができず、上述したニーズに応えることが難しいものであった。
【０００８】
この発明の目的は、撮像に必要な十分な光量を確保することができるうえ、細径化を図ることができる内視鏡を提供することである。
【課題を解決するための手段】
【０００９】
上記の目的を達成するために、この発明は以下の手段を提供している。
本発明に係る内視鏡は、観察対象内に少なくとも一部が導入され、内部の被写体の撮像を行う内視鏡であって、導入方向に対して直交する方向に法線が向くように配置され、前方側を照明する照明デバイスと、該照明デバイスに対して平行に配置され、前方側を撮像する撮像ユニットと、を備え、前記照明デバイスが、２つの電極間に挟まれた有機発光層と、該有機発光層から発生された光のうち前記法線方向に進む第１の光を遮光する遮光部と、有機発光層の先端部側に設けられ、発生された光のうち有機発光層の面内方向に進む第２の光を先端部から取り出して前方側に出射させる光取出し部と、を備えていることを特徴とする。
【００１０】
この発明に係る内視鏡においては、２つの電極間に電圧を印加すると有機発光層が光を発生させる。すると、発生した光のうち、略３割程度の光が有機発光層の表面に対して垂直な法線方向（導入方向に対して直交する方向）に進む第１の光となり、残りの略７割の光が有機発光層の面内方向（導入方向）に進む第２の光となる。このうち、法線方向に進んだ第１の光は、遮光部によって遮光される、或いは、面内方向に進む第２の光へと反射される。一方、面内方向に進んだ第２の光は、有機発光層の先端部に設けられた光取出し部によって取り出され、前方側に出射される。これにより、内視鏡を観察対象内に導入するにあたって、前方側、即ち撮像ユニットの視野方向を照明することができ、被写体を明るく照らすことができる。その結果、撮像ユニットにより被写体を撮像することができる。
【００１１】
特に、有機発光層の面内方向に進む第２の光は、法線方向に進む第１の光よりも光量が強い。そのため、面発光させることで第１の光を照明光として利用していた従来の面発光のものとは異なり、撮像に必要な十分な光量を確保することができる。
また、照明デバイスは、面発光させていた従来のものとは異なり、導入方向に対して直交する方向に法線が向くように配置されている。そのため、内視鏡の細径化を図ることができる。
【００１２】
また、本発明に係る内視鏡は、上記本発明の内視鏡において、前記撮像ユニットが、前記光取出し部よりも前記照明デバイスの前方側に突出した状態で配置されていることを特徴とする。
【００１３】
この発明に係る内視鏡においては、撮像ユニットが光取出し部よりも照明デバイスの前方側に突出しているので、撮像ユニットの後方から第２の光を出射させて前方側を照明することができる。そのため、撮像ユニット内に第２の光が回り込んで入り難い。よって、不要な光の入り込みによる撮像画像の劣化を防止することができる。従って、より明瞭に被写体を撮像することができ、撮像性能の向上化を図ることができる。
【００１４】
また、本発明に係る内視鏡は、上記本発明の内視鏡において、前記撮像ユニットが、前記光取出し部よりも前記照明デバイスの後方側に入り込んだ状態で配置されていることを特徴とする。
【００１５】
この発明に係る内視鏡においては、撮像ユニットが光取出し部よりも照明デバイスの後方側に入り込んでいるので、撮像ユニットよりも前方側に第２の光を出射させて照明することができる。そのため、撮像ユニットが照明光である第２の光の光路を塞いで影を作り出してしまうことがない。よって、前方を確実に明るく照明することができるので、より明瞭に被写体を撮像することができる。従って、撮像性能の向上化を図ることができる。
【００１６】
また、本発明に係る内視鏡は、上記本発明の内視鏡において、前記照明デバイスが、前記第１の光を取出して側方に出射させる側方光取出し部を備えていることを特徴とする。
【００１７】
この発明に係る内視鏡においては、側方光取出し部が、遮光或いは反射されていた第１の光を取り出して側方に出射させるので、撮像ユニットの視野の周辺を直接或いは間接的に照明することができる。よって、撮像ユニットの視野全体の明るさを増すことができ、より明瞭に被写体を撮像することができる。なお、第１の光を側方に出射させるので、前方を照明している照明光（第２の光）の光量に何ら影響を与えることがない。
【００１８】
また、本発明に係る内視鏡は、上記本発明の内視鏡において、前記第１の光により照明された領域を撮像する側方撮像ユニットを備えていることを特徴とする。
【００１９】
この発明に係る内視鏡においては、側方撮像ユニットによって、側方に出射された第１の光により照明された領域を撮像することができるので、前方を撮像している撮像ユニットと協働して、同時に異なる視野を撮像することができる。従って、前方側及び側方側の照明素子を別々に配置することなく、部品点数を削減することができる。
【００２０】
また、本発明に係る内視鏡は、上記本発明の内視鏡において、前記有機発光層が、前記撮像ユニットの周囲を囲むように円筒状に形成されていることを特徴とする。
【００２１】
この発明に係る内視鏡においては、有機発光層が円筒状に形成されているので、細径化を維持したまま前方に照明する照明光（第２の光）の光量をさらに増やすことができる。従って、被写体をさらに明るく照明でき、さらに明瞭に撮像することができる。
【００２２】
また、本発明に係る内視鏡は、上記本発明の内視鏡において、前記有機発光層の両端には、有機発光層の内部を密閉する透明カバーが設けられ、全体形状がカプセル状に形成されていることを特徴とする。
【００２３】
この発明に係る内視鏡においては、全体がカプセル状に形成されているので、医療用のカプセル内視鏡として利用することができる。
【００２４】
また、本発明に係る内視鏡は、上記本発明の内視鏡において、前記光取出し部が、前記有機発光層の基端部側にも設けられ、前記第２の光を基端部から取り出して後方側に出射させ、前記有機発光層の内部には、後方側に照明された領域を撮像する後方撮像ユニットが設けられていることを特徴とする。
【００２５】
この発明に係る内視鏡においては、光取出し部が、第２の光を前方側だけでなく後方側にも出射するので、前方側及び後方側の両方を一度に照明することができる。そして、撮像ユニットが明るく照らされた前方側を撮像し、後方撮像ユニットが明るく照らされた後方側を撮像する。そのため、前方側及び後方側の照明素子を別々に配置することなく、部品点数を削減することができる。
【発明の効果】
【００２６】
本発明に係る内視鏡によれば、撮像に十分な光量を確保することができ、被写体を明瞭に撮像することができる。また、細径化を図ることができるので、被験者への負担を軽減することができる。
【発明を実施するための最良の形態】
【００２７】
（第１実施形態）
以下、本発明に係る第１実施形態について、図１から図３を参照して説明する。本実施形態では、内視鏡の一例として医療用の内視鏡を例に挙げて説明する。
図１に示すように、本実施形態の内視鏡１は、被験者の図示しない体腔内（観察対象内）に少なくとも一部が導入され、内部の被写体（消化管等）の撮像を行うものであって、体腔内に挿入される挿入部２と、該挿入部２を湾曲操作する操作部３と、を主に備えている。
【００２８】
挿入部２の先端には、前方側を照明する照明デバイス４と、前方側を撮像する撮像ユニット５と、が互いに平行に配置された状態で設けられている。照明デバイス４は、図１及び図２に示すように、有機発光層２２を含む有機ＥＬ素子１０と、遮光膜（遮光部）１１と、光取出し部１２と、で構成されており、撮像ユニット５の周囲を囲むように円筒状に形成されている。そして、照明デバイス４は、外周面に直交する法線Ｍが導入方向（矢印Ｘ方向）に対して直交する方向を向くように配置されている。
【００２９】
有機ＥＬ素子１０は、図３に示すように、透明基板２０上に積層された陽極２１と、陽極２１に積層された有機発光層２２と、有機発光層２２に積層された陰極２３とで構成されている。つまり、有機発光層２２は、２つの電極２１、２３間に挟まれた状態となっている。
透明基板２０は、例えば、ガラス板、樹脂板やフィルム等からなる光学的に透明な基板である。陽極２１は、透明電極であって、例えば、ＩＴＯ、ＡＴＯやＺｎＯ等の透明導電膜で形成されている。陰極２３は、例えば、ＩＴＯ、ＡＴＯやＺｎＯ等の透明導電膜やＡｌ膜等の金属薄膜等で形成されている。有機発光層２２は、発光に必要な各種の材料が積層されて得られた層であり、陽極２１と陰極２３との間に電圧が印加されると、正孔と電子との結合によって光を発するようになっている。
【００３０】
この際、発生した光は、略３割程度が陽極２１及び透明基板２０を通過して法線Ｍ方向に進む第１の光Ｌ１となり、略７割程度が屈折率の違い等によって有機発光層２２の面内方向に進む第２の光Ｌ２となる。なお、本実施形態の有機ＥＬ素子１０は、透明基板２０が外周面側に位置するように円筒状に形成されている。そのため、第１の光は照明デバイス４の側方に向けて進むようになっている。
【００３１】
有機ＥＬ素子１０の外周面には、図１に示すように、上記遮光膜１１が形成されており、法線Ｍ方向に進む第１の光Ｌ１を遮光している。また、有機ＥＬ素子１０の先端部側には、図１及び図２に示すように、上記光取出し部１２が設けられており、有機発光層２２の面内方向に進む第２の光Ｌ２を先端部から取り出して、前方側に出射させている。これにより、上述したように照明デバイス４は、導入された挿入部２の前方側を照明することが可能とされている。
【００３２】
撮像ユニット５は、図１に示すように、複数のレンズ２５からなる対物レンズ群２６と、対物レンズ群２６の後方側に配置された固体撮像素子２７と、で構成されており、照明デバイス４の先端と自身の先端とが面一となるように配置されている。
【００３３】
このように構成された内視鏡１を利用して、撮像を行う場合について説明する。
まず、挿入部２を被験者の体腔内に導入させ、操作部３で湾曲操作しながら進ませる。この際、照明デバイス４の陽極２１と陰極２３との間に電圧を印加する。すると、有機発光層２２が光を発生させる。この光は、略３割程度が法線Ｍ方向に進む第１の光Ｌ１となり、残りの７割程度が面内方向に進む第２の光Ｌ２となる。
このうち、法線Ｍ方向に進んだ第１の光Ｌ１は、遮光膜１１によって遮光される。一方、面内方向に進んだ第２の光Ｌ２は、図１及び図２に示すように、光取出し部１２によって取り出され、前方側に出射される。これにより、挿入部２を体腔内に導入するにあたって、前方側、即ち、撮像ユニット５の視野方向を照明することができる。従って、被写体である消化管を明るく照らすことができる。その結果、撮像ユニット５により被写体である消化管を撮像することができる。よって、内視鏡１を利用して体腔内の観察を確実に行うことができる。
【００３４】
特に、有機発光層２２の面内方向に進む第２の光Ｌ２は、法線Ｍ方向に進む第１の光Ｌ１よりも光量が多い。そのため、第１の光Ｌ１を照明光として利用していた従来の面発光のものとは異なり、撮像に必要な十分な光量を確保することができる。しかも、本実施形態では、照明デバイス４が円筒状であるので、被写体をより明るく照明でき、明瞭な撮像を行える。
また、照明デバイス４は、面発光させていた従来のものとは異なり、導入方向に対して直交する方向に法線Ｍが向くように配置されている。そのため、導入方向に対して直交する方向の無駄なスペースを削減することができ、内視鏡１を構成する挿入部２の細径化を図ることができる。
【００３５】
上述したように本実施形態の内視鏡１によれば、撮像に十分な光量を確保することができるので、被写体を明瞭に撮像することができる。また、細径化を図ることができるので、被験者への負担を軽減することができる。
【００３６】
なお、上記実施形態では、照明デバイス４及び撮像ユニット５を最低限備えた例を説明したが、内視鏡１として機能させるための他の構成を組み込んでも構わない。例えば、処置具を挿通させるための処置具チャンネルや送気管や送水管等を組み込んでも構わない。
【００３７】
また、上記実施形態では、撮像ユニット５と照明デバイス４とが面一になるように配置したが、図４に示すように、光取出し部１２よりも照明デバイス４の前方側に突出した状態で撮像ユニット５を配置しても構わない。
このように構成することで、撮像ユニット５の後方から照明光である第２の光Ｌ２を出射させて前方側を照明することができる。そのため、撮像ユニット５内に第２の光Ｌ２が回り込んで入り難い。よって、不要な光の入り込みによる撮像画像の劣化を防止することができる。従って、より明瞭に被写体を撮像することができ、撮像性能の向上化を図ることができる。
【００３８】
また、これとは逆に、図５に示すように、光取出し部１２よりも照明デバイス４の後方側に入り込んだ状態で撮像ユニット５を配置しても構わない。
このように構成することで、撮像ユニット５よりも前方側に照明光である第２の光Ｌ２を出射させて照明することができる。そのため、撮像ユニット５が第２の光Ｌ２を塞いで影を作り出してしまうことがない。よって、前方を確実に明るく照明することができるので、より明瞭に被写体を撮像することができる。従って、この場合であっても撮像性能の向上化を図ることができる。
【００３９】
（第２実施形態）
次に、本発明に係る第２実施形態を説明する。なお、この第２実施形態においては、第１実施形態における構成要素と同一の部分については、同一の符号を付しその説明を省略する。
第２実施形態と第１実施形態との異なる点は、第１実施形態では、照明デバイス４が前方だけを照明していたのに対し、第２実施形態では、前方に加え、側方も同時に照明する点である。
【００４０】
即ち、本実施形態の内視鏡３０は、図６に示すように、照明デバイス４が法線Ｍ方向に進む第１の光Ｌ１を取り出して側方に出射させる側方光取出し部３１を備えている。そのため、本実施形態では、側方光取出し部３１が、遮光されていた第１の光Ｌ１を取り出して側方に出射させることが可能であるので、撮像ユニット５の視野の周辺を直接或いは間接的に照明することができる。よって、第１実施形態に比べて撮像ユニット５の視野全体の明るさを増すことができ、より明瞭に被写体を撮像することができる。
なお、第１の光Ｌ１を側方に出射させるだけであるので、前方を照射している照明光（第２の光Ｌ２）の光量に何ら影響を与えることがない。
【００４１】
なお、本実施形態において、図７に示すように、側方に向けて出射した第１の光Ｌ１により照明された領域を撮像する側方撮像ユニット３２を備えても構わない。この側方撮像ユニット３２は、撮像ユニット５と同様に対物レンズ群２６と固体撮像素子２７とで構成されている。
この場合には、側方撮像ユニット３２と撮像ユニット５とを協働させて、同時に異なる視野を撮像することができる。従って、前方側及び側方側の照明素子を別々に配置することなく、部品点数を削減することができる。
【００４２】
（第３実施形態）
次に、本発明に係る第３実施形態を説明する。なお、この第３実施形態においては、第１実施形態における構成要素と同一の部分については、同一の符号を付しその説明を省略する。
第３実施形態と第１実施形態との異なる点は、第１実施形態では、挿入部２だけを被験者の体腔内に導入する一般的な内視鏡であったのに対し、第３実施形態では、全体を被験者の体腔内に導入するカプセル型である点である。
【００４３】
即ち、本実施形態の内視鏡４０は、カプセル内視鏡であり、図８に示すように、有機発光層２２を含む有機ＥＬ素子１０の両端に半球状の透明カバー４１が固定されており、全体としてカプセル状に形成されている。また、透明カバー４１によって有機ＥＬ素子１０の内部は、密閉された状態となっている。
しかも、本実施形態の照明デバイス４は、有機発光層２２を含む有機ＥＬ素子１０の基端側にも光取出し部１２が設けられており、面内方向に進む第２の光Ｌ２を基端側から取り出して後方側に出射させている。そのため、本実施形態では、前方側及び後方側を同時に照明することが可能とされている。
【００４４】
更に、有機ＥＬ素子１０の内部には、後方側に照明された領域を撮像する後方撮像ユニット４２が設けられている。この後方撮像ユニット４２は、撮像ユニット５と同様に対物レンズ群２６と固体撮像素子２７とで構成されており、撮像ユニット５に対して背中合わせで対向するように配置されている。
【００４５】
このように構成された内視鏡４０によれば、カプセル状であるので、被験者への負担を極力減らした状態で体腔内に導入することができる。
しかも、前方側及び後方側の両方を一度に照明することができる。そして、撮像ユニット５が明るく照らされた前方側を撮像し、後方撮像ユニット４２が明るく照らされた後方側を撮像する。そのため、前方側及び後方側の照明素子を別々に配置することなく、部品点数を削減することができる。
【００４６】
なお、図８では、撮像ユニット５及び後方撮像ユニット４２を照明デバイス４よりも外方に突出させた例を図示しているが、この場合に限られるものではない。また、後方撮像ユニット４２は、必須な構成ではなく、前方側を撮像する撮像ユニット５だけでも構わない。また、第２実施形態のように側方光取出し部３１を設け、側方をさらに照明する構成にしても構わない。
【００４７】
なお、本発明の技術範囲は上記実施の形態に限定されるものではなく、本発明の趣旨を逸脱しない範囲において種々の変更を加えることが可能である。
【００４８】
例えば、上記各実施形態では、被験者の体腔内を撮像する医療用の内視鏡を例に挙げて説明したが、例えば、エンジン等のユニットを観察対象として、ユニット内を撮像する工業用の内視鏡であっても構わない。
【図面の簡単な説明】
【００４９】
【図１】本発明の第１実施形態に係る内視鏡の全体図である。
【図２】図１に示す内視鏡の断面Ａ−Ａ図である。
【図３】図１に示す内視鏡を構成する照明デバイスの有機ＥＬ素子を拡大した断面図である。
【図４】第１実施形態に係る内視鏡の変形例を示す図であって、照明デバイスよりも撮像ユニットが前方側に突出するように配置されている内視鏡の断面図である。
【図５】第１実施形態に係る内視鏡の別の変形例を示す図であって、照明デバイスよりも撮像ユニットが後方側に入り込むように配置されている内視鏡の断面図である。
【図６】本発明の第２実施形態に係る内視鏡の断面図である。
【図７】図２実施形態に係る内視鏡の変形例を示す断面図である。
【図８】本発明の第３実施形態に係る内視鏡の断面図である。
【符号の説明】
【００５０】
Ｍ…法線
Ｌ１…第１の光
Ｌ２…第２の光
１、３０、４０…内視鏡
４…照明デバイス
５…撮像ユニット
１１…遮光膜（遮光部）
１２…光取出し部
２１…陽極（電極）
２３…陰極（電極）
２２…有機発光層
３１…側方光取出し部
３２…側方撮像ユニット
４１…透明カバー
４２…後方撮像ユニット
【図１】
2010051461.tif 000003
【図２】
2010051461.tif 000004
【図３】
2010051461.tif 000005
【図４】
2010051461.tif 000006
【図５】
2010051461.tif 000007
【図６】
2010051461.tif 000008
【図７】
2010051461.tif 000009
【図８】
2010051461.tif 000010